(57)【要約】【課題】ナンバープレートに依存することなく、車両の識別を容易に行って車両の盗難を予防する。【解決手段】支持体層１１と、支持体層１１の上面に形成された第１の粘着剤層１２と、第１の粘着剤層１２の上面に形成された認証模様等の所定のパターンを含む自己破壊型のフイルム層１３と、フイルム層１３の上面に形成された、車両の車両番号を含む車両情報を表す印刷層１４と、印刷層１４の上面に形成された第２の粘着剤層１５と、第２の粘着剤層１５の上面に離型剤層１６とともに形成された透明な保護フイルム層１７とから車両盗難予防用ステッカー１０を構成する。保護フイルム層１７を剥がすことにより、粘着剤層１５側から車両の防風ガラスに車両盗難予防用ステッカー１０を貼付する。貼付された車両盗難予防用ステッカー１０を剥がすと、自己破壊型のフイルム層１３および印刷層１４が所定のパターンおよび車両情報とともに破壊される。【選択図】　　　　　図２
2004139016.tif 000002
【特許請求の範囲】
【請求項１】
支持体層と、該支持体層の上面に形成された第１の粘着剤層と、該第１の粘着剤層の上面に形成された、所定のパターンが前記第１の粘着剤層とは反対側から視認可能なように含められた自己破壊型のフイルム層と、該フイルム層の上面に形成された、前記車両の車両番号を含む車両情報を、前記フイルム層とは反対側から視認可能なように表す印刷層と、該印刷層の上面に形成された透明の第２の粘着剤層と、該粘着剤層の上面に透明の離型剤層とともに形成された保護フイルム層とを備えた車両盗難予防用ステッカーを作成し、
前記保護フイルム層を剥がして前記車両盗難予防用ステッカーを車両の防風ガラスの内側に貼付することを特徴とする車両盗難予防方法。
【請求項２】
前記自己破壊型のフイルム層として、該フイルム層の全面および／または一部にホログラムを有するホログラムフイルムを用いることを特徴とする請求項１記載の車両盗難予防方法。
【請求項３】
前記印刷層を、熱転写印刷により前記フイルム層に形成することを特徴とする請求項１または２記載の車両盗難予防方法。
【請求項４】
前記印刷層に、前記車両情報と対応付けられたバーコードを含ませることを特徴とする請求項１から３のいずれか１項記載の車両盗難予防方法。
【発明の詳細な説明】
【０００１】
【発明の属する技術分野】
本発明は、車両の防風ガラスの内側にステッカーを貼付して車両の盗難を予防する車両盗難予防方法に関するものである。ここで、防風ガラスとは、車両のフロントガラスに限らず、後部ガラスを含むものとし、さらには側面の窓ガラスも含むものとする。
【０００２】
【従来の技術】
従来より、車両にはその前後にナンバープレートが取り付けられており、ナンバープレートを参照することにより、車両を特定することができる。とくに、車両が盗難等された場合には、ナンバープレートを参照することにより、車両の早期発見につながる場合がある。
【０００３】
【発明が解決しようとする課題】
しかしながら、ナンバープレートは比較的取り外しが容易であるため、ナンバープレートのみが盗難され、これが犯罪に悪用される場合がある。さらに、車両が盗難された場合に、ナンバープレートが交換されてしまうと、盗難車両の特定ができなくなってしまう。
【０００４】
本発明は上記事情に鑑みなされたものであり、ナンバープレートと同時に車両の識別を容易に行うことができる車両盗難予防方法を提供することを目的とするものである。
【０００５】
【課題を解決するための手段】
本発明による車両盗難予防方法は、支持体層と、該支持体層の上面に形成された第１の粘着剤層と、該第１の粘着剤層の上面に形成された、所定のパターンが前記第１の粘着剤層とは反対側から視認可能なように含められた自己破壊型のフイルム層と、該フイルム層の上面に形成された、前記車両の車両番号を含む車両情報を、前記フイルム層とは反対側から視認可能なように表す印刷層と、該印刷層の上面に形成された透明の第２の粘着剤層と、該粘着剤層の上面に透明の離型剤層とともに形成された保護フイルム層とを備えた車両盗難予防用ステッカーを作成し、
前記保護フイルム層を剥がして前記車両盗難予防用ステッカーを車両の防風ガラスの内側に貼付することを特徴とするものである。
【０００６】
「防風ガラスの内側に貼付する」とは、少なくとも車両の前または後のガラスの内側に貼付可能であることを意味する。
【０００７】
「支持体層」は、紙、塩化ビニル等のプラスチックフイルムまたは反射シート等からなる。なお、支持体層は装飾性や視認性を向上させるために、着色されていたり、陸運局や国土交通省等の役所のマーク等の図柄を含むものであってもよい。
【０００８】
「所定のパターン」には、陸運局や国土交通省等の車両番号を管理する役所のマーク、役所により認証されたことを表すマーク、車両番号を配置するための罫線、車両によっては変更されない情報、認証模様、規則性のあるまたは不規則な図柄等を含めることができる。
【０００９】
なお、本発明による車両盗難予防方法においては、前記自己破壊型のフイルム層として、該フイルム層の全面および／または一部にホログラムを有するホログラムフイルムを用いることが好ましい。
【００１０】
ホログラムフイルムは、陸運局等の車両番号を管理する役所のマーク、役所により認証されたことを表す認証模様やマーク、規則性のあるまたは不規則な図柄等がホログラムにより含まれてなるフイルムである。
【００１１】
また、本発明による車両盗難予防方法においては、前記印刷層を、熱転写印刷により前記フイルム層に形成することが好ましい。なお、熱転写印刷のみならず、インクジェット印刷等の他の印刷方法により印刷層を形成してもよい。
【００１２】
また、前記印刷層に、前記車両情報の他に、その車両情報と対応付けられたバーコードを含ませることが好ましい。
【００１３】
【発明の効果】
本発明による車両盗難予防方法は、車両盗難予防用ステッカーの保護フイルム層を剥がし、車両盗難予防用ステッカーを第２の粘着剤層側から防風ガラスの所望とする位置に貼付する。
【００１４】
このように、本発明の車両盗難予防方法によれば、車両番号を含む車両情報を防風ガラスに容易に貼付することができるため、ナンバープレートと同じ車両番号を、改ざん不可能な態様で防風ガラスに表示することができる。
【００１５】
また、車両盗難予防用ステッカーは防風ガラスの内側から貼付されるため、車両の所有者等、権限のある者以外の者が車両盗難予防用ステッカーに手を触れることはできない。さらに、自己破壊型のフイルム層を用いており、さらにフイルム層に印刷層が形成されているため、一旦貼付された車両盗難予防用ステッカーを剥がすと、フイルム層が破壊されてこれに含まれる所定のパターンおよび印刷層も破壊され、その結果、ステッカーの再使用ができなくなる。したがって、車両の登録時に、陸運局や国土交通省等権限のある役所が車両盗難予防用ステッカーを車両のナンバープレートとともに発行し、車両盗難予防用ステッカーの貼付を義務づけるようにすれば、ナンバープレートを取り外したり、不法に交換した場合には、ナンバープレートと車両に貼付された車両盗難予防用ステッカーに含まれる車両番号とが一致しなくなる。よって、ナンバープレートの盗難、さらには車両の盗難等の犯罪を未然に防止することが可能となる。
【００１６】
また、車両盗難予防用ステッカーにおいて、フイルム層をその全面および／または一部にホログラムを有するホログラムフイルムとすることにより、陸運局等の役所により認証されたことを表す認証模様等を所定のパターンとして容易に模倣できない態様にて車両盗難予防用ステッカーに含ませることができる。したがって、車両盗難予防用ステッカーの偽造を防止することができる。
【００１７】
また、熱転写印刷等の印刷方法によりフイルム層に印刷層を形成することにより、印刷層の形成を容易に行うことができる。
【００１８】
また、印刷層を車両情報と対応付けられたバーコードを含むものとすることにより、車外からの遠隔バーコードリーダー等により自動的に車両番号を読み取ることを容易にし、高速道路等の料金所での出入車両の記録、有料駐車場の車の出入りの管理、会員制の会場への入場チェック等に利用することも可能となる。
【００１９】
【発明の実施の形態】
以下図面を参照して本発明の実施形態について説明する。図１は本発明の実施形態による車両盗難予防用ステッカーの構成を示す平面図、図２はその断面図である。図１および図２に示すように、本発明の実施形態による車両盗難予防用ステッカー１０は、支持体層１１と、支持体層１１の上面に形成された第１の粘着剤層１２と、第１の粘着剤層１２の上面に形成された自己破壊型のフイルム層１３と、フイルム層１３の上面に形成された、車両情報を表す印刷層１４と、印刷層１４の上面に形成された第２の粘着剤層１５と、第２の粘着剤層１５の上面に離型剤層１６とともに形成された保護フイルム層１７とからなる。なお、図２において、各層を分離させて図示している箇所があるが、実際には各層は密着しているものである。
【００２０】
支持体層１１は、本実施形態による車両盗難予防用ステッカーを車両の防風ガラスに貼付した際に、印刷層１４により表される車両情報が視認しやすいように白色の紙または塩化ビニル等のプラスチックフイルム等が用いられる。
【００２１】
なお、支持体層１１として反射シートを用いてもよく、支持体層１１を着色したり、陸運局や国土交通省のマーク等の図柄を付与してもよい。
【００２２】
また、支持体層１１の下面には、支持体層１１を保護するために透明の保護フイルム層２０を設けることが好ましい。保護フイルム層２０は、車両盗難予防用ステッカー１０を貼付する際に容易に剥がすことができるものである。
【００２３】
第１および第２の粘着剤層１２，１５は、通常は粘着剤をコーティングすることにより構成されるが、両面テープにより構成することもできる。なお、粘着剤層１２，１５としては、車両の防風ガラスに一旦貼付したステッカーを剥がしたときに、フイルム層１３および印刷層１４が自己破壊可能な程度の粘着力のものが用いられる。
【００２４】
フイルム層１３は脆質の透明フイルム、より好ましくはホログラムフイルムにより構成される。ここで、本実施形態においては、「Ｊａｐａｎ」および「２００２」の文字並びに車両情報を配置させるための罫線が所定のパターンとしてフイルム層１３の表面に印刷されることにより、フイルム層１３に含められているが、陸運局や国土交通省等の役所のマークを所定のパターンとしてフイルム層１３に含めてもよい。
【００２５】
ここで、所定のパターンは印刷によりフイルム層１３に含めてもよく、ホログラムの干渉パターンに対応した干渉縞によりフイルム層１３に含めてもよい。
【００２６】
なお、ホログラムフイルムを用いることにより、陸運局や国土交通省等の役所により認証されたことを表す認証用模様、認証されたことを表すマーク、規則性のあるまたは不規則な図柄等を容易に模倣できない態様にてフイルム層１３に含ませることができる。例えば、図３（ａ）に示すように規則性のある図柄３Ａをホログラムとして含ませたり、図３（ｂ）に示すようにマーク３Ｂをホログラムとして含ませることができる。そしてこれにより、本実施形態による車両盗難予防用ステッカー１０の偽造を防止することができる。
【００２７】
なお、ホログラムフイルムによる模様は光の反射により容易に認識できるため、夜間であっても光を用いることにより、認証の有無を容易に認識することができる。
【００２８】
印刷層１４は、車両番号を含む車両情報を、熱転写印刷によりフイルム層１３に印刷することにより形成される。なお、本実施形態においては、車両情報には車両番号とともに、車両情報と対応付けられたバーコードが印刷層１４に含められている。また、熱転写印刷に代えてインクジェット印刷等の他の印刷方法を用いてもよい。
【００２９】
なお、本実施形態においては、「Ｊａｐａｎ」および「２００２」の文字並びに車両情報を配置させるための罫線をフイルム層１３に含めているが、これらを印刷層１４に含め、車両情報とともにフイルム層１３に印刷してもよい。
【００３０】
保護フイルム層１７は透明な材質のフイルムからなる。保護フイルム層１７には離型剤が塗布されて離型剤層１６が形成される。この離型剤層１６により第２の粘着剤層１５と保護フイルム層１７との分離が容易となる。また、保護フイルム層１７により第２の粘着剤層１５が保護されるため、第２の粘着剤層１５の汚染が防止され、これにより印刷層１４の視認性が向上される。
【００３１】
なお、本実施形態による車両盗難予防用ステッカー１０は、図４に示すように、まず、保護フイルム層２０、支持体層１１、第１の粘着剤層１２、フイルム層１３および印刷層１４を積層させて第１の積層体３０を形成する。一方、第２の粘着剤層１５、離型剤層１６および保護フイルム層１７を積層させて第２の積層体３１を形成する。なお、第２の粘着剤層１５を保護するために第２の積層体３１には保護フイルム層２２が付与される。そして、第２の積層体３１の保護フイルム層２２を剥がし、第１の積層体３０と第２の積層体３１とを張り合わせることにより、車両盗難予防用ステッカー１０が形成される。
【００３２】
このように構成された本発明の実施形態による車両盗難予防用ステッカー１０は、保護フイルム層１７を剥がすことにより、第２の粘着剤層１５側から車両の防風ガラスの所望とする位置に貼付される。
【００３３】
このように、本実施形態による車両盗難予防用ステッカー１０によれば、車両に関する情報を防風ガラスに容易に貼付することができるため、ナンバープレートと同じ車両番号を、改ざん不可能な態様で防風ガラスに表示することができる。
【００３４】
また、車両盗難予防用ステッカー１０は防風ガラスの内側から貼付されるため、車両の所有者等、権限のある者以外の者が車両盗難予防用ステッカー１０に手を触れることはできない。さらに、自己破壊型のフイルム層１３を使用し、さらにフイルム層１３に印刷層１４を形成しているため、一旦貼付された車両盗難予防用ステッカー１０を剥がすと、フイルム層１３および印刷層１４が破壊され、これに含まれるホログラムによる認証模様や役所のマーク、さらには印刷層１４により表される車両情報も破壊され、その結果、ステッカーの再使用ができなくなる。したがって、車両の登録時に、陸運局や国土交通省等権限のある役所が車両盗難予防用ステッカー１０を車両のナンバープレートとともに発行し、車両盗難予防用ステッカー１０の防風ガラスへの貼付を義務づけるようにすれば、ナンバープレートを取り外したり、不法に交換した場合には、ナンバープレートと車両に貼付された車両盗難予防用ステッカー１０に含まれる車両番号とが一致しなくなる。よって、ナンバープレートの盗難、さらには車両の盗難等の犯罪を未然に防止することが可能となる。
【００３５】
また、車両の登録年度に応じて、車両情報の色、支持体層１１の色、フイルム層１３の色を変更することにより、登録年度の識別も容易となる。
【００３６】
また、車両情報と対応付けられたバーコードを印刷層１４に含めることにより、車外からの遠隔バーコードリーダー等により自動的に車両番号を読み取ることを容易にし、高速道路等の料金所での出入車両の記録、有料駐車場の車の出入りの管理、会員制の会場への入場チェック等に利用することも可能となる。
【００３７】
なお、上記実施形態において、車両番号を含むものであれば、車検の有効期限、保険番号、保険会社名、有効日、車両の登録書類番号等も車両情報として印刷層１４に含めてもよい。
【図面の簡単な説明】
【図１】本発明の実施形態による車両盗難予防用ステッカーの構成を示す平面図
【図２】本発明の実施形態による車両盗難予防用ステッカーの構成を示す断面図
【図３】ホログラムフイルムの態様を示す平面図
【図４】本発明の実施形態による車両盗難予防用ステッカーの製造工程を示す断面図
【符号の説明】
１０　　車両盗難予防用ステッカー
１１　　支持体層
１２　　第１の粘着剤層
１３　　フイルム層
１４　　印刷層
１５　　第２の粘着剤層
１６　　離型剤層
１７，２０，２２　　保護フイルム層
【図１】
2004139016.tif 000003
【図２】
2004139016.tif 000004
【図３】
2004139016.tif 000005
【図４】
2004139016.tif 000006